【事件の表示】
　平成　５年特許願第１０８８１６号「シート給送装置及び画像形成装置」拒絶査定不服審判事件〔平成　６年１１月１５日出願公開、特開平　６−３１６３４２〕について、次のとおり審決する。
【結　論】
　本件審判の請求は、成り立たない。
【理　由】
１　本願発明
　本願は、平成５年４月１３日の出願であって、その請求項１に係る発明は、平成１３年９月１２日付け手続補正書により補正された明細書の特許請求の範囲の請求項１に記載されたとおりの次のものと認められる。
「【請求項１】複数のシートを積載してシート給送方向と直交する方向に装置本体より着脱可能なシート収容手段を備えたシート給送装置において、前記シート収容手段に収容されたシートを、回転して送り出すための回転給送部材と、前記回転給送部材を回転するための駆動源からの回転駆動力の伝達を選択的に行うための駆動伝達制御機構と、前記シート収容手段に係止して前記シート収容手段が前記装置本体から引き出せないようにする係止手段と、を備え、前記駆動伝達制御機構の制御動作により前記回転給送部材に前記駆動源からの回転駆動力を伝達するとともに、この回転駆動力を前記回転給送部材に伝達するための前記駆動伝達制御機構の制御動作によって前記係止手段を前記シート収容手段に係止するように移動させて、該シート収容手段を前記装置本体より引き出せないようにすることを特徴とするシート給送装置。」
　
２　引用例の記載事項
　これに対して、原査定の拒絶の理由に引用された、本願の出願前に頒布された特開昭６２−２６９８２２号公報（以下、「引用例」という。）には、次の事項が記載されている。
(1)記載１（２頁左下欄１４ないし１７行）
「第１図〜第３図に示す如く、複写機１本体内部に、複写紙（図示せず）搬送方向（矢印２）に対して直角方向へ装脱可能の給紙カセット載置部４が装着されている。」
(2)記載２（２頁右下欄１１ないし１５行）
「揺動板２４に、複写紙上面に当接しその複写紙を給紙するための給紙コロ６と、その給紙コロ６に回転を伝達するための伝動歯車１３、１４とが設けられている。」
(3)記載３（３頁右上欄１４行ないし左下欄６行）
「複写機制御部（図示せず）のスタートスイッチがオペレータによってオンされると、複写作業が開始すると同時に回転するモータが、駆動歯車８を介して中間歯車９，１５を回転させる。……給紙モードの時、上記制御部から給紙タイミングの信号が給紙クラッチ１０とソレノイド１７とに出力される。すると、給紙クラッチ１０がオンし、回転している中間歯車９が給紙クラッチ１０、軸１１、伝動歯車１２、１３、１４を介して給紙コロ６を回転させる。」
(4)記載４（３頁左下欄７行ないし右下欄１９行）
「一方、ソレノイド１７も上記給紙クラッチ１０がオンするのと同時にオンし、‥‥バネクラッチ１８は半回転し、上記中間歯車９で駆動されている中間歯車１５の回転が軸２２に伝達され、その軸２２に固着されたカム２３と伝動歯車２５とが半回転する。そして、上記カム２３に設けられた凸部２８が前記給紙装置Ｃの揺動板２４の端部下面に当接し、その揺動板２４の他端を下方へ押し下げることにより、給紙装置Ｃが揺動駆動される。その結果、給紙装置Ｃに具設された給紙コロ６が複写紙上面に当接し、給紙コロ６の回転によりその複写紙を転写部へ給紙し始める。一方、上記軸２２の半回転により伝動歯車２５は、駆動歯車２６を介してストッパ７を半回転だけ回動駆動し、ストッパ７を前記給紙カセット載置部４の邪魔板５と係合する位置で停止させ、その給紙カセット載置部４を複写機１（第１図参照）本体内部から引き出し不能とする。その結果、給紙カセット載置部４に装備された中間トレー３は、給紙モードの時、給紙コロ６が複写紙を給紙し始めると同時にその取り出しが阻止されるのである。」
(5)記載５（４頁左上欄２行ないし右上欄３行）
「全ての給紙が終了した時、即ち、給紙停止モードの時は、前記制御部から給紙停止タイミングの信号が給紙クラッチ１０とソレノイド１７とに出力される。すると、給紙クラッチ１０がオフし、…給紙コロ６は回転（給紙動作）を停止する。一方、ソレノイド１７は上記給紙クラッチ１０がオフするのと同時にオンし、バネクラッチ１８の爪１９（第３図参照）と係合していたレバー１６が矢印の方向へ１往復だけ揺動駆動され、再び元の位置で停止する。すると、軸２２に固着されたカム２３と伝動歯車とは、前記同様に半回転する。そして、上記カム２３に設けられた凸部２８が給紙装置Ｃの揺動板２４の端部下面から離脱し、給紙装置Ｃが復帰スプリング２７の作用で揺動駆動される。その結果、給紙装置Ｃに具設された給紙コロ６が複写紙上面から離脱する。一方、前記ストッパ７は、前記同様、上記軸２２の半回転に伴って半回転だけ回動駆動され、前記邪魔板５との係合が解除され、給紙カセット載置部４を複写機１（第１図参照）本体内部から引き出し可能とする。」
　
　以上の記載及び第１図ないし第３図によると、引用例には、
「複数の複写紙を積載して複写紙給送方向と直交する方向に装置本体より装脱可能な給紙カセット載置部４に装備された中間トレー３を備えた複写紙給送装置において、
　揺動板２４に設けられ、中間トレー３に収容された複写紙上面に当接しその複写紙を回転して取り出すための給紙コロ６と、
　給紙カセット載置部４の邪魔板５と係合して、その給紙カセット載置部４を装置本体内部から引き出し不能とするストッパ７と、
　駆動源からの回転駆動力を伝達する駆動歯車８、給紙クラッチ１０、バネクラッチ１８、ソレノイド１７等を備え、
　給紙モードの時、制御部からの給紙タイミング信号により給紙クラッチ１０がオンし、給紙コロ６を回転させ、
　給紙クラッチ１０がオンするのと同時にソレノイド１７がオンし、バネクラッチ１８が半回転し、揺動板２４を下方へ押し下げることにより、給紙コロ６を複写紙上面に当接させ、給紙コロ６の回転によりその複写紙を送り出すとともに、バネクラッチ１８の半回転によりストッパ７を半回転させ、ストッパ７を邪魔板５と係合させて、給紙カセット載置部４を複写機１本体内部から引き出し不能とし、
　給紙停止モードの時、制御部からの給紙停止タイミング信号により給紙クラッチ１０がオフし、給紙コロ６は回転を停止し、
　給紙クラッチ１０がオフするのと同時にソレノイド１７がオンし、バネクラッチ１８が半回転し、揺動板２４を揺動駆動させ給紙コロ６が複写紙上面から離脱するとともに、ストッパ７は、半回転だけ回動駆動され、邪魔板５との係合が解除される、複写紙給送装置」
が記載されていると認められる。
　
３　対比
　本願発明と引用例記載の発明とを対比する。
　引用例記載の発明の「複写紙」は、本願発明の「シート」に相当し、引用例記載の発明の「給紙カセット載置部」と「中間トレー」とを併せたものは、本願発明の「シート収容手段」に相当する。
　引用例記載の発明の「給紙コロ６」と「揺動板２４」とからなるものと、本願発明の「回転給送部材」とは、共に、「シート収容手段に収容されたシートを送り出すためのシート送り出し手段」ということができる。
　引用例記載の発明では、給紙モードの時に、制御部からの給紙タイミング信号により給紙クラッチ１０がオンし、給紙コロ６を回転させ、且つ、給紙クラッチ１０がオンするのと同時にソレノイド１７がオンし、バネクラッチ１８が半回転し、揺動板２４を下方へ押し下げることにより、給紙コロ６を複写紙上面に当接させ、給紙コロ６の回転によりその複写紙を送り出すようにし、給紙停止モードの時に、制御部からの給紙停止タイミング信号により給紙クラッチ１０がオフし、給紙コロ６は回転を停止し、且つ、給紙クラッチ１０がオフするのと同時にソレノイド１７がオンし、バネクラッチ１８が半回転し、揺動板２４を揺動駆動させ給紙コロ６が複写紙上面から離脱するようにしているので、引用例記載の発明の「制御部、給紙クラッチ１０、バネクラッチ１８、ソレノイド１７等」は、「複写紙（シート）を送り出すためのシート送り出し手段である、給紙コロ６と揺動板２４とを駆動するための駆動源からの駆動力の伝達を選択的に行うための駆動伝達制御機構」ということができ、また、給紙モードの時の「制御部からの給紙タイミング信号により給紙クラッチ１０がオン」、「ソレノイド１７がオン」、「バネクラッチ１８の半回転」等は、「駆動力をシート送り出し手段に伝達するための駆動伝達制御機構の制御動作」ということができる。
　さらに、引用例記載の発明では、上記のように給紙モードの時に、制御部からの給紙タイミング信号により給紙クラッチ１０がオンし、複写紙を送り出すようにするとともに、給紙クラッチ１０がオンするのと同時にソレノイド１７がオンし、バネクラッチ１８の半回転によりストッパ７を半回転させ、ストッパ７を邪魔板５と係合させて、給紙カセット載置部４を複写機１本体内部から引き出し不能としており、引用例記載の発明は、「駆動源からの駆動力をシート送り出し手段に伝達するための駆動伝達制御機構の制御動作によって、ストッパ７を邪魔板５と係合するように回転させる」ものということができる。
　そして、引用例記載の発明の「ストッパ」は、「給紙カセット載置部（シート収容手段）」の構成の一部である「邪魔板」と係合して、その給紙カセット載置部４を装置本体内部から引き出し不能とするので、本願発明の「係止手段」に相当する。
　
　そうすると、両者は、
「複数のシートを積載してシート給送方向と直交する方向に装置本体より着脱可能なシート収容手段を備えたシート給送装置において、
　前記シート収容手段に収容されたシートを送り出すためのシート送り出し手段と、
　前記シート送り出し手段を駆動するための駆動源からの駆動力の伝達を選択的に行うための駆動伝達制御機構と、
　前記シート収容手段に係止して前記シート収容手段が前記装置本体から引き出せないようにする係止手段と、を備え、
  前記駆動伝達制御機構の制御動作により前記シート送り出し手段に前記駆動源からの駆動力を伝達するとともに、この駆動力を前記シート送り出し手段に伝達するための前記駆動伝達制御機構の制御動作によって前記係止手段を前記シート収容手段に係止するように移動させて、該シート収容手段を前記装置本体より引き出せないようにするシート給送装置。」
である点で一致し、以下の点で相違する。
　
　相違点
　本願発明では、シート送り出し手段が、「シートを、回転して送り出すための回転給送部材」であり、駆動伝達制御機構が、「回転給送部材を回転するための駆動源からの回転駆動力の伝達を行うため」のものであり、その制御動作により「回転給送部材に前記駆動源からの回転駆動力を伝達する」のに対し、引用例記載の発明では、シート送り出し手段が、給紙コロ６と揺動板２４とからなり、駆動伝達制御機構が、給紙コロ６を回転させ、揺動板２４を下方へ押し下げるための駆動源からの駆動力の伝達を行うためものであり、その制御動作により、給紙コロ６と揺動板２４に駆動源からの駆動力を伝達する点。
　
４　相違点についての検討
　複写機などの画像形成装置において、カセットなどのシート収容手段からシートを送り出すシート送り出し手段として、回転給送部材を用い、駆動源からの回転駆動力により回転給送部材を回転させることは、本願の出願前に周知の技術（例えば、特開平４−１６９４２８号公報、特開平２−１７５５３３号公報、特開平３−２８４５４８号公報参照。）であるから、引用例記載の発明において、シート送り出し手段として、給紙コロ６と揺動板２４を用い、駆動源からの駆動力により給紙コロ６を回転させ、揺動板２４を下方へ押し下げることに代えて、送り出し手段として、回転給送部材を用い、駆動源からの回転駆動力により回転給送部材を回転させるという上記周知技術を採用して、相違点における本願発明の構成とすることは、当業者が容易に想到し得たことといえる。
　
　なお、請求人は、平成１３年９月１２日付けの審判請求書の手続補正書３頁９ないし１４行で、「そして、この構成の相違によって、本願発明は、引用刊行物１のようにシート収容手段を係止するために利用する駆動伝達の制御を専用のバネクラッチ及びソレノイドで行わないため、部品点数の削減によるコストダウンおよび、引用刊行物１のように給紙用のクラッチと別の専用のクラッチをそれぞれ制御する必要がないため制御の簡略化による動作の安定等が得られる、という引用刊行物１にはない効果を奏するものです。」と主張し、ソレノイドやクラッチを給紙用とシート収容手段の係止用とに兼用することによる効果を主張している。
　しかし、本願発明は、駆動伝達制御機構として、ソレノイドやクラッチを備えることを構成要件とはしていないので、これらソレノイドやクラッチを給紙用とシート収容手段の係止用とに兼用することによる効果の主張は、本願発明の構成に基づかない主張であって、採用しない。
　
５　むすび
　したがって、本願発明は、引用例記載の発明及び周知技術に基づいて、当業者が容易に発明をすることができたものであるから、特許法２９条２項の規定により特許を受けることができない。
　よって、結論のとおり審決する。